(57)【要約】【課題】梁型枠を下階の梁床の構築が完了していなくても、梁型枠を先行して取り付けることができるようにする。【解決手段】作業対象階の梁にあたる位置に梁型枠を設置するにあたり、予め、作業対象階の下階の梁の両端部を構成するＰＣ梁部材７２を建て込んでおく。そして、梁型枠本体２０と梁型枠本体２０を下方から支持するラチス架構５１と、ラチス架構５１に回動可能に接続された支持部材５４Ａ，５４Ｂとを備えた梁型枠ユニット１００を、支持部材５４Ａ、５４Ｂが作業対象階の下階の梁の両端部を構成するＰＣ梁部材７２に反力をとって、梁型枠本体２０を支持するように設置する。【選択図】図１
2010053650.tif 000002
【特許請求の範囲】
【請求項１】
コンクリート造の建物の作業対象階の見上げ梁を構成するコンクリートを打設するための梁型枠の支持構造であって、
前記梁型枠を前記作業対象階の見下げ梁の端部を構成するＰＣ部材に反力を取って支持する支持部を備えてなることを特徴とする梁型枠の支持構造。
【請求項２】
前記支持部は、前記梁型枠を下方より支持する型枠受部材と、
前記型枠受部材と、前記ＰＣ部材との間を結ぶように設けられた支持部材と、を有することを特徴とする請求項１記載の梁型枠の支持構造。
【請求項３】
コンクリート造の建物の作業対象階の見上げ梁を構成するコンクリートを打設するための梁型枠の支持方法であって、
前記梁型枠を前記作業対象階の見下げ梁の端部を構成するＰＣ部材に反力を取って支持することを特徴とする梁型枠の支持方法。
【請求項４】
コンクリート造の柱梁架構における作業対象階の見上げ梁を構成するコンクリートの打設方法であって、
前記作業対象階の見下げ梁の両端部を構成するＰＣ部材を建て込む工程と、
前記建て込んだＰＣ部材に反力をとって支持されるように梁型枠を設置する工程と、
前記梁型枠内に梁を構成するコンクリートを打設する工程と、を備えることを特徴とする鉄筋コンクリート造の柱梁架構における梁を構成するコンクリートの打設方法。
【請求項５】
コンクリート造の柱梁架構を構築する方法であって、
下階から上階に向かって各階を作業対象階として、
作業対象階の見下げ梁の梁端部を構成するＰＣ部材を建て込む工程と、
作業対象階の柱を構築する工程と、
前記建て込んだＰＣ部材に反力をとって支持されるように前記作業対象階の見上げ梁に相当する位置に梁型枠を設置する工程と、
前記作業対象階の見上げ梁に相当する位置に設置した梁型枠内にコンクリートを打設する工程と、を行うことを特徴とする柱梁架構の構築方法。
【発明の詳細な説明】
【技術分野】
【０００１】
本発明は、コンクリート造の柱梁架構の梁を構成するコンクリートの打設方法、コンクリートを打設する際の梁型枠の支持方法、及び柱梁架構の構築方法に関する。
【背景技術】
【０００２】
従来より、鉄筋コンクリート造の柱梁架構からなる建物を、梁のコンクリートを現場打ちして構築する場合には、床上に支保工を構築し、この支保工により梁型枠を支持して、梁型枠内にコンクリートを打設していた。
【０００３】
このような方法として、例えば、特許文献１には、梁型枠を下方より支持する架構を設け、この架構を、柱近傍に設けられた床面より鉛直方向に延びる支柱と、架構の中央と床面の柱近傍とを結ぶよう設けられた斜材とで支持することにより、下階の梁中央に作用する曲げモーメントを小さくする方法が記載されている。
【特許文献１】特公平３―７１５４６号公報
【発明の開示】
【発明が解決しようとする課題】
【０００４】
しかしながら、特許文献１記載の方法では、梁型枠内に打設したコンクリートの荷重が支保工を介して下階の梁床に伝達されるため、下階の梁床のコンクリートの打設もしくは養生が完了していなければ、支柱及び斜材を設置することができず、梁の型枠の取り付けを行うことができないという問題があった。
また、施工順序の自由度を向上するため、梁型枠を下階の梁床のコンクリートの打設前に取り付け可能となることが望まれている。
【０００５】
本発明は、上記の問題に鑑みなされたものであり、梁型枠を下階の梁床の構築が完了していなくても、梁型枠を先行して取り付けることができるようにすることである。
【課題を解決するための手段】
【０００６】
本発明の梁型枠の支持構造は、コンクリート造の建物の作業対象階の見上げ梁を構成するコンクリートを打設するための梁型枠の支持構造であって、前記梁型枠を前記作業対象階の見下げ梁の端部を構成するＰＣ部材に反力を取って支持する支持部を備えてなることを特徴とする。
なお、コンクリート造の建物とは鉄筋コンクリート造、鉄骨コンクリート造、鉄骨鉄筋コンクリート造、又はこれらの混合構造の建物を意味する。
上記の梁型枠の支持構造において、前記支持部は、前記梁型枠を下方より支持する型枠受部材と、前記型枠受部材と、前記ＰＣ部材との間を結ぶように設けられた支持部材と、を有してもよい。
【０００７】
また、本発明の梁型枠の支持方法は、コンクリート造の建物の作業対象階の見上げ梁を構成するコンクリートを打設するための梁型枠の支持方法であって、前記梁型枠を前記作業対象階の見下げ梁の端部を構成するＰＣ部材に反力を取って支持することを特徴とする。
【０００８】
また、本発明のコンクリートの打設方法は、コンクリート造の柱梁架構における作業対象階の見上げ梁を構成するコンクリートの打設方法であって、前記作業対象階の見下げ梁の両端部を構成するＰＣ部材を建て込む工程と、前記建て込んだＰＣ部材に反力をとって支持されるように梁型枠を設置する工程と、前記梁型枠内に梁を構成するコンクリートを打設する工程と、を備えることを特徴とする。
【０００９】
また、本発明の柱梁架構の構築方法は、コンクリート造の柱梁架構を構築する方法であって、下階から上階に向かって各階を作業対象階として、作業対象階の見下げ梁の梁端部を構成するＰＣ部材を建て込む工程と、作業対象階の柱を構築する工程と、前記建て込んだＰＣ部材に反力をとって支持されるように前記作業対象階の見上げ梁に相当する位置に梁型枠を設置する工程と、前記作業対象階の見上げ梁に相当する位置に設置した梁型枠内にコンクリートを打設する工程と、を行うことを特徴とする。
【発明の効果】
【００１０】
本発明によれば、作業対象階の見下げ梁又は見下げ床が構築されていなくても、梁端部を構成するＰＣ部材が建て込まれていれば、ＰＣ部材に反力をとることができるため、この階の見上げ梁にあたる位置に梁型枠を設置し、梁型枠本体内に打設されたコンクリートの荷重を支持することができる。
【発明を実施するための最良の形態】
【００１１】
以下、本発明のコンクリート造の柱梁架構の構築方法の一実施形態を図面を参照しながら詳細に説明する。
図１は、本実施形態の柱梁架構の構築方法に用いられる梁型枠ユニットの正面図であり、図２は、図１におけるII−II´断面図である。また、図３は、図２におけるIII部の拡大図である。
図１及び図２に示すように、本実施形態の型枠ユニット１００は、構築する梁にあたる部位にコンクリートを打設するための空間を形成するとともに、打設されたコンクリートの荷重を支持するために用いられるものである。
【００１２】
図１及び図２に示すように、Ｎ＋１階の見上げ梁を構成するコンクリートを打設するにあたり、Ｎ＋１階又はそれ以上の階までの柱を構成する柱主筋の配筋作業が完了している。
【００１３】
本実施形態の型枠ユニット１００は、梁の外周に沿うように設置された型枠部４０と、型枠部４０を下方より支持する支持部５０とにより構成される。なお、図１には、紙面左右方向に延びる型枠ユニット１００のみを示しており、図２には紙面鉛直方向に延びる型枠ユニットのみを示している。
【００１４】
図３に示すように、型枠部４０は、配筋の完了した梁筋３の外周を取り囲み、コンクリートを打設するための空間を形成する梁型枠本体２０と、梁型枠本体２０の形状を保持するための型枠保持部３０とから構成される。
【００１５】
梁型枠本体２０は、梁の側面に当たる位置に配置された側面材２１と、梁の下面に当たる位置に配置された下面材２２と、側面材２１の外面に当接して梁の長さ方向に延びるタイロッド（不図示）により取り付けられた複数の横材２３及びパイプ部材２４Ａと、下面材２２の下面に当接して梁の長さ方向に延びる根太材２５と、からなる。
【００１６】
型枠保持部３０は、上記の根太材２５及びパイプ部材２４Ａの下方に梁の長さ方向に適宜な間隔で梁幅方向に延びるように設けられた角パイプ３１と、先端に角パイプ３１を把持した状態と開放した状態とを切り替え可能な把持部３２Ａを備えるビームクランプ３２と、角パイプ３１とビームクランプ３２の間に斜めに架け渡された補強材３３とから構成される。ビームクランプ３２には、梁型枠本体２０の横材２３及びパイプ部材２４Ａが固定されている。また、ビームクランプ３２は、把持部３２Ａによる角パイプ３１の拘束を緩めることにより、補強材３３とともに角パイプ３１に沿って梁幅方向に移動することができ、また、適宜な位置で把持部３２Ａを拘束状態とすることにより、角パイプ３１に固定することができる。梁型枠本体２０内にコンクリートを打設する際には、ビームクランプ３２を所定の間隔に移動させ、把持部３２Ａを固定しておく。
【００１７】
梁型枠本体２０内にコンクリートを打設すると、下面材２２及び側面材２１にはコンクリートの圧力が作用するが、横材２３及びパイプ部材２４Ａが側面材２１を側方より支持し、また、根太材２５及びパイプ部材２４Ａが下方より下面材２２を支持する。さらに、角パイプ３１が根太材２５及びパイプ部材２４Ａを下方より支持し、また、ビームクランプ３２及び補強材３３が梁型枠本体２０の横材２３及びパイプ部材２４Ａを側方より支持するため、コンクリートの圧力により梁型枠本体２０が変形するのを防止することができる。
【００１８】
支持部５０は、角パイプ３１の下方に設けられたラチス架構５１（特許請求の範囲の型枠受部材に相当）と、ラチス架構５１の下部の梁の長さ方向両端部においてラチス架構５１を下方より支持するように取り付けられた受け材５２Ａと、ラチス架構５１の下部の梁の長さ方向中央部近傍においてラチス架構５１を下方より支持するように取り付けられた受け材５２Ｂと、受け材５２Ａ，５２Ｂの下部に取り付けられた支持部材接続部５３Ａ，５３Ｂと、一端が支持部材接続部５３Ａに回動自在に取り付けられ、伸縮機構を有する第１の支持部材５４Ａと、一端が支持部材接続部５３Ｂに回動自在に取り付けられ、伸縮機構を有する第２の支持部材５４Ｂと、から構成される。
【００１９】
Ｎ階の見上げ梁にあたる位置には、Ｎ＋１階と同様に、型枠ユニット１００が設置されており、型枠ユニット１００内には、梁を構成する梁主筋７１と一体に形成された、梁の端部を構成するＰＣ梁部材７２が建て込まれている。また、梁主筋７１の端部には端部に定着部材７４が取り付けられた接合鉄筋７３が機械式継手７５により接続されており、接合鉄筋７３の端部は仕口部にあたる部分の内部まで到達している。また、Ｎ階の見上げ梁にあたる位置に建て込まれたＰＣ梁部材７２の上面には支持部材受け部１１０が取り付けられており、この支持部材受け部１１０に第１及び第２の支持部材５４Ａ、５４Ｂの他端が固定されている。なお、第１の支持部材５４Ａ及び第２の支持部材５４Ｂを回動させた際に干渉するのを防止するため、梁幅方向外側に第１の支持部材５４Ａが、梁幅方向内側に第２の支持部材５４Ｂが取り付けられている。
【００２０】
型枠部４０及び梁型枠本体２０内に打設されたコンクリートの荷重は、型枠保持部３０を介してラチス架構５１に作用する。この荷重に対して、第１の支持部材５４Ａ及び第２の支持部材５４ＢがＰＣ梁部材７２に反力を取りながら抵抗するため、型枠部４０及び梁型枠本体２０内に打設されたコンクリートの荷重を支持することができる。なお、梁の長さ方向両端に取り付けられた受け材５２Ｂの下方には、車輪５７が取り付けられており、第１の支持部材５４Ａ及び第２の支持部材５４Ｂを格納した状態において、梁型枠ユニット１００をこの車輪５７により移動することができる。
【００２１】
かかる構成の梁型枠ユニット１００によれば、Ｎ階の見上げ梁又は見上げ床が構築されていなくても、Ｎ階の見上げ梁の梁端部を構成するＰＣ梁部材７２が建て込まれていれば、Ｎ＋１階の見上げ梁にあたる位置に梁型枠を設置し、このＰＣ梁部材７２に反力をとって、梁型枠本体２０内に打設されたコンクリートの荷重を支持することができる。
【００２２】
以下、上記説明した梁型枠ユニット１００を用いた梁の構築方法の一例を説明する。図４Ａ〜図４Ｈは梁型枠ユニット１００を用いた梁の構築方法を説明するための柱梁架構の正面図である。
【００２３】
以下の説明では、図４Ａに示すように、Ｎ階の柱６０の構築が完了し、Ｎ＋１階及びＮ＋２階の柱主筋６１の配筋が完了している。また、Ｎ階の見上げ梁（Ｎ＋１階の見下げ梁）７０を構成する梁筋の配筋及びコンクリート７６の打設が完了している。また、Ｎ＋１階の見上げ梁にあたる位置に梁型枠ユニット１００が設置され、これら梁型枠ユニット１００内には、梁主筋７１と一体に形成されたＰＣ梁部材７２が建て込まれている。また、Ｎ階の見上げ床（Ｎ＋１階の見下げ床）８０にあたる位置にはＰＣ床部材８１が設置され、スラブ筋８２が配筋され、コンクリート８３の打設が完了している。また、Ｎ＋１階の見上げ床にあたる位置にはＰＣ床部材８１が設置されている。
【００２４】
まず、図４Ｂに示すように、Ｎ＋２階において、Ｎ＋１階の見上げ床を構成するスラブ筋８２を配筋する。また、Ｎ＋１階において、Ｎ＋１階の柱の外周にあたる位置に柱型枠６２の設置作業を行う。また、Ｎ＋１階の見上げ梁を構成するＰＣ梁部材７２に反力をとるように、Ｎ＋２階の見上げ梁にあたる位置に梁型枠ユニット１００を設置する。
【００２５】
ここで、図５は、梁型枠ユニット１００を設置する方法を説明するための図である。梁型枠ユニット１００を設置するには、適宜な作業スペースにおいて、図５に示すように、第１の支持部材５４Ａ及び第２の支持部材５４Ｂを水平になるまで回動させた状態で、角パイプ３１上に梁の長さ方向に延びるように根太材２５及びパイプ部材２４Ｂを取り付け、根太材２５及びパイプ部材２４Ｂの上部に下面材２２を固定する。また、ビームクランプ３２及び補強材３３を外側に移動させて適宜間隔を設けた状態で、ビームクランプ３２の内周側に梁の長さ方向に延びるように横材２３及びパイプ部材２４Ａを取り付け、横材２３及びパイプ部材２４Ａの内周側に側面材２１を固定する。
【００２６】
そして、梁型枠ユニット１００を揚重機を用いて設置する。図６は、揚重機を用いて型枠支持ユニット１００を設置する様子を示す図であり、図７は、図６におけるII−II´断面図である。図６及び図７に示すように、揚重機（不図示）を用いて、吊り上げ冶具９０を介してラチス架構５１により型枠支持ユニット１００を下方より支持した状態で揚重し、柱２間を結ぶように配筋された梁筋３、４が側面材２１及び下面材２２により囲まれる空間内に位置するように、梁型枠支持ユニット１００を配置する。そして、第１の支持部材５４Ａ及び第２の支持部材５４Ｂを回転させるとともに、これらを適宜伸縮させて、第１の支持部材５４Ａ及び第２の支持部材５４Ｂの先端を支持部材受け部１１０に固定する。そして、ビームクランプ３２の把持部３２Ａを開放状態とし、側面材２１が取り付けられた状態のビームクランプ３２を側面材２１の表面の間隔が梁幅と等しくなるまで移動させた後、把持部３２Ａを拘束状態としてビームクランプ３２を角パイプ３１に固定する。これにより、図１及び図２を参照して説明したように、型枠支持ユニット１００が第１の支持部材５４Ａ及び第２の支持部材５４Ｂを介して、ＰＣ梁部材７２に支持されることとなる。
【００２７】
次に、図４Ｃに示すように、Ｎ＋２階の見上げ梁にあたる位置に配置された梁型枠ユニット１００内に、上方から梁主筋７１と一体に形成されたＰＣ梁部材７２を建て込む。また、これと並行して、Ｎ＋２階の見下げ床において、床の段差型枠を設置し、Ｎ＋１階柱とＮ＋１階見上げ梁との仕口部の型枠の設置作業を行う。
【００２８】
次に、図４Ｄに示すように、Ｎ＋１階の見上げ梁、Ｎ＋１階の見上げ床及びＮ＋１階の柱を構成するコンクリート７６、８３、６４の打設を行う。
次に、図４Ｅに示すように、Ｎ＋１階において柱型枠６２を取り外す。また、これと並行して、上方からＮ＋２階の見上げ床の一部を構成するＰＣ床部材８１を建て込む。
【００２９】
次に、図４Ｆに示すように、Ｎ＋３階の見上げ梁にあたる位置に、Ｎ＋２階の見上げ梁を構成するＰＣ梁部材７２に反力をとるように、梁型枠ユニット１００を設置する。また、これと並行して、Ｎ＋３階において、Ｎ＋２階の見上げ床を構成するスラブ筋８２を配筋し、Ｎ＋２階において、Ｎ＋２階の柱の外周にあたる位置に柱型枠６２の設置作業を行う。
【００３０】
次に、図４Ｇに示すように、Ｎ＋３階の見上げ梁にあたる位置に配置された梁型枠ユニット１００内に、上方から梁主筋７１と一体に形成されたＰＣ梁部材７２を建て込む。また、これと並行して、Ｎ＋３階において、Ｎ＋３階の見下げ床の段差型枠を設置し、Ｎ＋２階柱とＮ＋２階見上げ梁との仕口部の型枠の設置作業を行う。
【００３１】
次に、図４Ｈに示すように、Ｎ＋３階の見下げ梁、Ｎ＋３階の見下げ床及びＮ＋２階の柱を構成するコンクリート６４の打設を行う。また、これと並行して、Ｎ＋３階及びＮ＋４階の柱を構成する柱主筋６１を建て込み、Ｎ＋１階及びＮ＋２階の柱を構成する柱主筋６１に継手する。
なお、本実施形態では、柱主筋として２階層分の長さを有する柱主筋を用いているが、これに限らず、１階層分の長さの柱主筋を用いてもよいし、また、２階層分の長さの柱主筋を、一部の柱ではＮ＋１階とＮ＋２階の間、残りの柱ではＮ＋２階とＮ＋３階の間で継手する構成としてもよい。また、柱主筋を継手する工程は、Ｎ＋３階の見下げ梁、Ｎ＋３階の見下げ床及びＮ＋２階の柱を構成するコンクリート６４の打設する工程の前に行ってもよいし、後に行ってもよい。
上記の工程を繰り返すことにより柱梁架構を構築することができる。
【００３２】
以上説明したように、本実施形態では、梁型枠ユニット１００を用いることにより、所定の階の見下げ梁又は見下げ床の構築作業が完了していなくても、見下げ梁の端部を構成するＰＣ梁部材７２が建て込まれていれば、この階の見上げ梁にあたる位置に梁型枠の設置を行うことができる。このため、上記説明した柱梁架構の構築方法のように、上階において配筋作業や型枠の設置作業を先行して行い、これと並行して、下階においてコンクリートの打設や型枠の取り外し作業などを行うことができ、これにより、施工期間を短縮することができる。
【００３３】
なお、本実施形態では、ＰＣ梁部材として梁の厚さに相当する厚さを有するＰＣ部材を用いているが、これに限らず、梁の端部近傍の下部のみを構成するＰＣ梁部材を用いる場合（すなわち、梁端部の上部にもコンクリートを打設する場合）にも本発明を適用できる。なお、このような場合では梁の端部近傍の下部のみを構成するＰＣ梁部材が特許請求の範囲における梁の端部に該当する。
【００３４】
図８（Ａ）はこのような場合の梁型枠ユニット１００の第１及び第２の支持部材５４Ａ，５４ＢのＰＣ梁部材７２に固定されている端部の拡大図であり、（Ｂ）はＰＣ梁部材７２の拡大図である。同図に示すように、かかる場合には、ＰＣ梁部材７２に、下端に屈曲部を備え、上端にナット９２が取り付けられた鋼材９１を埋設しておき、この鋼材９１の上端に取り付けられたナット９２に支持部材受け部１１０を固定する。そして、鋼材９１に固定された支持部材受け部１１０に第１及び第２の支持部材５４Ａ，５４Ｂを接続すればよい。
【００３５】
また、図８に示す例では、梁端部近傍の下部のみを構成するＰＣ梁部材に鋼材９１を埋設しているが、これに限らず、ＰＣ梁部材の上部にコンクリートブロックを設置し、このコンクリートブロックに支持部材受け部１１０を固定してもよい。さらに、このようなコンクリートブロックはＰＣ梁部材と一体に構築してもよい。
【００３６】
また、上記の各実施形態では、柱はＰＣ柱部材を用いて構築し、柱梁仕口部は現場打ちにより構築する場合について説明したが、これに限らず、図９に示すように、柱はＰＣ柱部材２Ｃを用いて構築し、柱梁仕口部及び梁端部を構成するコンクリートが一体となったＰＣ梁・仕口部材１７０を柱の上部に建て込み、隣接するＰＣ梁・仕口部材１７０の間に梁端部以外の部分を現場打ちして梁を構築する場合や、図１０に示すように、柱、柱梁仕口部及び梁端部を構成するコンクリートが一体となったＰＣ部材１８０を建て込み、隣接するＰＣ部材１８０の間に梁端部以外の部分を現場打ちして梁を構築する場合であっても、本発明の梁型枠ユニット１００を用いることができる。
【００３７】
なお、上記の各実施形態では、鉄筋コンクリート造の柱梁架構を構築する場合に本発明を適用した場合について説明したが、これに限らず、鉄骨コンクリート造、鉄骨鉄筋コンクリート造、及びこれらの混合構造の柱梁架構を構築する場合にも本発明を適用することができる。
【図面の簡単な説明】
【００３８】
【図１】本実施形態の柱梁架構の構築方法に用いられる梁型枠ユニットの正面図である。
【図２】図１におけるII−II´断面図である。
【図３】図２におけるIII部の拡大図である。
【図４Ａ】梁型枠ユニットを用いた梁の構築方法を説明するための柱梁架構の正面図（その１）である。
【図４Ｂ】梁型枠ユニットを用いた梁の構築方法を説明するための柱梁架構の正面図（その２）である。
【図４Ｃ】梁型枠ユニットを用いた梁の構築方法を説明するための柱梁架構の正面図（その３）である。
【図４Ｄ】梁型枠ユニットを用いた梁の構築方法を説明するための柱梁架構の正面図（その４）である。
【図４Ｅ】梁型枠ユニットを用いた梁の構築方法を説明するための柱梁架構の正面図（その５）である。
【図４Ｆ】梁型枠ユニットを用いた梁の構築方法を説明するための柱梁架構の正面図（その６）である。
【図４Ｇ】梁型枠ユニットを用いた梁の構築方法を説明するための柱梁架構の正面図（その７）である。
【図４Ｈ】梁型枠ユニットを用いた梁の構築方法を説明するための柱梁架構の正面図（その８）である。
【図５】梁型枠ユニットを設置する方法を説明するための図（その１）である。
【図６】揚重機を用いて型枠支持ユニットを設置する様子を示す図である。
【図７】図６におけるII−II´断面図である。
【図８】（Ａ）は、梁の端部近傍の下部のみを構成するＰＣ梁部材を用いた場合の第１及び第２の支持部材端部の拡大図であり、（Ｂ）は、ＰＣ梁部材の拡大図である。
【図９】柱梁仕口部及び梁端部を構成するＰＣ梁・仕口部材を用いて柱梁架構を構築する様子を示す図である。
【図１０】柱、柱梁仕口部及び梁端部を構成するＰＣ部材を用いて柱梁架構を構築する様子を示す図である。
【符号の説明】
【００３９】
２  柱                                ３  梁筋
２０  梁型枠本体                      ２１  側面板
２２  下面板                          ２３  横材
２４Ａ、２４Ｂ  パイプ部材            ２５  根太材
３０  型枠保持部                      ３１  角パイプ
３２  ビームクランプ                  ３３  補強材
４０  型枠部                          ５０  支持部
５１  ラチス架構                      ５２Ａ，５２Ｂ  受け材
５３Ａ、５３Ｂ  支持部材接続部        ５４Ａ，５４Ｂ  支持部材
５７  車輪                            ６０  柱
６１  柱主筋                          ６２  柱型枠
６４  コンクリート                    ７０  梁
７１  梁主筋                          ７２  梁部材
７３  接合鉄筋                        ７４  定着部材
７５  機械式継手                      ８０  床
８１  ＰＣ床部材                      ８２  スラブ筋
９０  吊り上げ冶具                    ９１  鋼材
９２  ナット
１００  梁型枠ユニット                １１０  支持部材受け部
【図１】
2010053650.tif 000003
【図２】
2010053650.tif 000004
【図３】
2010053650.tif 000005
【図５】
2010053650.tif 000006
【図６】
2010053650.tif 000007
【図７】
2010053650.tif 000008
【図８】
2010053650.tif 000009
【図９】
2010053650.tif 000010
【図１０】
2010053650.tif 000011
【図４Ａ】
2010053650.tif 000012
【図４Ｂ】
2010053650.tif 000013
【図４Ｃ】
2010053650.tif 000014
【図４Ｄ】
2010053650.tif 000015
【図４Ｅ】
2010053650.tif 000016
【図４Ｆ】
2010053650.tif 000017
【図４Ｇ】
2010053650.tif 000018
【図４Ｈ】
2010053650.tif 000019